(57)【要約】【課題】  １台の光ディスク記録装置及び１個の記録メディアを用いて、メディアの使用容量を節約しつつ、少なくとも記録後１度は高品質な記録状態で記録された動画データを鑑賞することができる光ディスク記録装置及び記録方法を提供する。  【解決手段】  記録メディアＭｄに任意の圧縮率で圧縮され、記録された一次圧縮動画データＦｃを、一次圧縮動画データＦｃよりも圧縮率の高い高圧縮動画データＨｃを作成し、高圧縮動画データＨｃのエンコードが完了した部分より順次、メモリ４に格納されると共にメモリ４から取り出されて記録メディアＭｄの空き領域に記録するか、一次圧縮動画データＦｃの上から記録していく。【選択図】      図２
2005092993.tif 000002
【特許請求の範囲】
【請求項１】
記録メディアに動画データを記録し、且つ、前記記録メディアに記録されている動画デ
ータを再生する光ディスク記録再生装置であって、
前記動画データを外部機器より入力及び外部機器に出力するための外部入出力手段と、
前記動画データを前記光ディスクの記録方式に適応したデータ形式に圧縮するエンコー
ド手段と、
前記圧縮された圧縮動画データをもとの動画データに復号化するデコード手段と、
前記エンコード手段にて圧縮する、又は、前記デコード手段にて復号化するときに一部
のデータを保管しておくメモリ手段と、
前記動画データを前記記録メディアに記録する記録／再生手段と、
前記各手段の動作を制御する制御手段と、を有しており、
前記エンコード手段は前記動画データを圧縮するとき、圧縮ビットレート、解像度及び
音声データフォーマットを変えることで、最も圧縮率の低い圧縮モードと該最も圧縮率の
低い圧縮モードで圧縮されたデータ量に対してデータ量が１／２、１／４、１／６となる
圧縮モードを備えており、
前記記録メディアに前記の各圧縮モードのうち任意の圧縮モードで圧縮され、記録され
た一次圧縮動画データを、前記デコード手段及び前記エンコード手段を用いることで該一
次圧縮動画データよりも圧縮率の高い圧縮モードで圧縮された高圧縮動画データを作成し
、
エンコード手段にて前記高圧縮動画データのエンコードが完了した部分より順次、前記
メモリ手段に格納されると共にメモリ手段から取り出されて前記記録メディアの空き領域
に記録する追記モードと前記一次圧縮動画データの上から記録していく上書きモードを有
しており、
前記追記モードにて記録を行う場合、前記高圧縮動画データの容量が前記記録メディア
の空き領域よりも小さいときは前記追記モードで記録せず、使用者による前記圧縮率の変
更、上書きモードへの変更、終了のいずれかの選択に従い、
前記上書きモードにて記録を行う場合、前記記録メディアの前記一次圧縮動画データが
記録された領域のうち、前記高圧縮動画データが上書きされた残りの領域は空き領域とし
て認識されることを特徴とする光ディスク記録再生装置。
【請求項２】
記録メディアに動画データを記録し、且つ、前記記録メディアに記録されている動画デ
ータを再生する光ディスク記録再生装置であって、
前記動画データを外部機器より入力及び外部機器に出力するための外部入出力手段と、
前記動画データを前記光ディスクの記録方式に適応したデータ形式に圧縮するエンコー
ド手段と、
前記圧縮された圧縮動画データをもとの動画データに復号化するデコード手段と、
前記エンコード手段にて圧縮する、又は、前記デコード手段にて復号化するときに一部
のデータを保管しておくメモリ手段と、
前記動画データを前記記録メディアに記録する記録／再生手段と、
前記各手段の動作を制御する制御手段と、を有しており、
前記エンコード手段は前記動画データを圧縮するとき、圧縮ビットレート、解像度及び
音声データフォーマットを変えることで、最も圧縮率の低い圧縮モードと前記最も圧縮率
の低い動画データに対するデータの圧縮率を予め定められた倍率に変えることができる圧
縮モードを備えており、
前記記録メディアに前記の各圧縮モードのうち任意の圧縮モードで圧縮され、記録され
た一次圧縮動画データを、前記デコード手段及び前記エンコード手段を用いることで該一
次圧縮動画データよりも圧縮率の高い圧縮モードで圧縮された高圧縮動画データを作成し
、
エンコード手段にて前記高圧縮動画データのエンコードが完了した部分より順次、前記
メモリ手段に格納されると共にメモリ手段から取り出されて前記記録メディアの空き領域
に記録する追記モードと前記一次圧縮動画データの上から記録していく上書きモードを有
しており、
前記追記モードにて記録を行う場合、前記高圧縮動画データの容量が前記記録メディア
の空き領域よりも小さいときは前記追記モードで記録せず、使用者による前記圧縮率の変
更、上書きモードへの変更、終了のいずれかの選択に従い、
前記上書きモードにて記録を行う場合、前記記録メディアの前記一次圧縮動画データが
記録された領域のうち、前記高圧縮動画データが上書きされた残りの領域は空き領域とし
て認識されることを特徴とする光ディスク記録再生装置。
【請求項３】
記録メディアに動画データを記録し、且つ、前記記録メディアに記録されている動画デ
ータを再生する光ディスク記録再生装置であって、
前記動画データを外部機器より入力及び外部機器に出力するための外部入出力手段と、
前記動画データを前記光ディスクの記録方式に適応したデータ形式に圧縮するエンコー
ド手段と、
前記圧縮された圧縮動画データをもとの動画データに復号化するデコード手段と、
前記エンコード手段にて圧縮する、又は、前記デコード手段にて復号化するときに一部
のデータを保管しておくメモリ手段と、
前記動画データを前記記録メディアに記録する記録／再生手段と、
前記各手段の動作を制御する制御手段と、を有しており、
前記エンコード手段は前記動画データを圧縮するとき、圧縮ビットレート、解像度及び
音声データフォーマットのうち少なくともひとつを任意に変えることで、圧縮率を変える
ことができる圧縮モードを備えており、
前記記録メディアに前記圧縮モードで圧縮され、記録された一次圧縮動画データを、前
記デコード手段及び前記エンコード手段を用いることで該一次圧縮動画データよりも圧縮
率が高くなるように圧縮された高圧縮動画データを作成し、
エンコード手段にて前記高圧縮動画データのエンコードが完了した部分より順次、前記
メモリ手段に格納されると共にメモリ手段から取り出されて前記記録メディアの空き領域
に記録する追記モードと前記一次圧縮動画データの上から記録していく上書きモードを有
しており、
前記追記モードにて記録を行う場合、前記高圧縮動画データの容量が前記記録メディア
の空き領域よりも小さいときは前記追記モードで記録せず、使用者による前記圧縮率の変
更、上書きモードへの変更、終了のいずれかの選択に従い、
前記上書きモードにて記録を行う場合、前記記録メディアの前記一次圧縮動画データが
記録された領域のうち、前記高圧縮動画データが上書きされた残りの領域は空き領域とし
て認識されることを特徴とする光ディスク記録再生装置。
【請求項４】
記録メディアに動画データを記録する光ディスク記録方法であって、
前記動画データを外部機器より入力及び外部機器に出力する外部入出力ステップと、
前記動画データを前記光ディスクの記録方式に適応したデータ形式に圧縮するエンコー
ドステップと、
前記圧縮された圧縮動画データをもとの動画データに復号化するデコードステップと、
前記エンコードステップにて圧縮する、又は、前記デコードステップにて復号化すると
きに一部のデータをメモリ手段に保管しておくメモリステップと、
前記動画データを前記記録メディアに記録する記録／再生ステップと、を有しており、
前記エンコードステップは前記動画データを圧縮するとき、圧縮ビットレート、解像度
及び音声データフォーマットを変えることで、最も圧縮率の低い圧縮モードと該最も圧縮
率の低い圧縮モードで圧縮されたデータ量に対してデータ量が１／２、１／４、１／６と
なる圧縮モードを備えており、
前記記録メディアに記録された一次圧縮動画データを、前記デコード手段及び前記エン
コード手段を用いることで該一次圧縮動画データよりも容量の小さい（換言すると圧縮率
の高い）高圧縮動画データを作成し、
前記記録／再生ステップは前記高圧縮動画データのエンコードが完了した部分より順次
、前記メモリ手段に格納されると共にメモリステップにて前記メモリ手段から取り出され
て前記記録メディアの空き領域に記録するか又は前記一次圧縮動画データの上から記録し
ていくかを選択することができ、
前記高圧縮動画データの容量が前記記録メディアの空き領域よりも小さいときは前記該
高圧縮動画データを該空き領域に記録せず、使用者の前記圧縮率を変更するか、前記一次
圧縮動画データに上書きするか、終了するかの選択に従い、
前記一次圧縮動画データの上から記録する場合、前記記録メディアの前記一次圧縮動画
データが記録された領域のうち、前記高圧縮動画データが上書きされた残りの領域は空き
領域として認識されることを特徴とする光ディスク記録方法。
【請求項５】
記録メディアに動画データを記録する光ディスク記録方法であって、
前記動画データを外部機器より入力及び外部機器に出力する外部入出力ステップと、
前記動画データを前記光ディスクの記録方式に適応したデータ形式に圧縮するエンコー
ドステップと、
前記圧縮された圧縮動画データをもとの動画データに復号化するデコードステップと、
前記エンコードステップにて圧縮する、又は、前記デコードステップにて復号化すると
きに一部のデータをメモリ手段に保管しておくメモリステップと、
前記動画データを前記記録メディアに記録する記録／再生ステップと、を有しており、
前記エンコードステップは前記動画データを圧縮するとき、圧縮ビットレート、解像度
及び音声データフォーマットを変えることで、最も圧縮率の低い圧縮モードと前記最も圧
縮率の低い動画データに対するデータの圧縮率を予め定められた倍率に変えることができ
る圧縮モードを備えており、
前記記録メディアに記録された一次圧縮動画データを、前記デコード手段及び前記エン
コード手段を用いることで該一次圧縮動画データよりも容量の小さい（換言すると圧縮率
の高い）高圧縮動画データを作成し、
前記記録／再生ステップは前記高圧縮動画データのエンコードが完了した部分より順次
、前記メモリ手段に格納されると共にメモリステップにて前記メモリ手段から取り出され
て前記記録メディアの空き領域に記録するか又は前記一次圧縮動画データの上から記録し
ていくかを選択することができ、
前記高圧縮動画データの容量が前記記録メディアの空き領域よりも小さいときは前記該
高圧縮動画データを該空き領域に記録せず、使用者の前記圧縮率を変更するか、前記一次
圧縮動画データに上書きするか、終了するかの選択に従い、
前記一次圧縮動画データの上から記録する場合、前記記録メディアの前記一次圧縮動画
データが記録された領域のうち、前記高圧縮動画データが上書きされた残りの領域は空き
領域として認識されることを特徴とする光ディスク記録方法。
【請求項６】
記録メディアに動画データを記録する光ディスク記録方法であって、
前記動画データを外部機器より入力及び外部機器に出力する外部入出力ステップと、
前記動画データを前記光ディスクの記録方式に適応したデータ形式に圧縮するエンコー
ドステップと、
前記圧縮された圧縮動画データをもとの動画データに復号化するデコードステップと、
前記エンコードステップにて圧縮する、又は、前記デコードステップにて復号化すると
きに一部のデータをメモリ手段に保管しておくメモリステップと、
前記動画データを前記記録メディアに記録する記録／再生ステップと、を有しており、
前記エンコード手段は前記動画データを圧縮するとき、圧縮ビットレート、解像度及び音
声データフォーマットのうち少なくともひとつを任意に変えることで、圧縮率を任意に変
えることができる圧縮モードを備えており、
前記記録メディアに前記圧縮モードで圧縮され、記録された一次圧縮動画データを、前
記デコード手段及び前記エンコード手段を用いることで該一次圧縮動画データよりも圧縮
率が高くなるように圧縮された高圧縮動画データを作成し、
前記記録／再生ステップは前記高圧縮動画データのエンコードが完了した部分より順次
、前記メモリ手段に格納されると共にメモリステップにて前記メモリ手段から取り出され
て前記記録メディアの空き領域に記録するか又は前記一次圧縮動画データの上から記録し
ていくかを選択することができ、
前記高圧縮動画データの容量が前記記録メディアの空き領域よりも小さいときは前記該
高圧縮動画データを該空き領域に記録せず、使用者の前記圧縮率を変更するか、前記一次
圧縮動画データに上書きするか、終了するかの選択に従い、
前記一次圧縮動画データの上から記録する場合、前記記録メディアの前記一次圧縮動画
データが記録された領域のうち、前記高圧縮動画データが上書きされた残りの領域は空き
領域として認識されることを特徴とする光ディスク記録方法。
【発明の詳細な説明】
【技術分野】
【０００１】
本発明は、記録媒体に記録することのできる光ディスク記録再生装置及び記録方法に関
するものである。
【背景技術】
【０００２】
最近、動画データをデジタルデータとして光ディスク等のメディアに記録する光ディス
ク記録装置が普及してきている。前記光ディスク記録装置の一つとして記録メディアとし
てＤＶＤ（Digital Versatile Disc）を用いるＤＶＤ−ＲＷレコーダが注目されている。
前記ＤＶＤ−ＲＷレコーダはメディアに記録するだけでなく再生可能なものがほとんどで
ある。
【０００３】
前記ＤＶＤ−ＲＷレコーダは、１枚のＤＶＤメディア（片面１層で４．７ＧＢ）に例え
ば１時間、２時間、４時間、６時間記録可能な記録モードを有している。各記録モードは
１枚のメディアに動画を記録するときに記録可能な時間で分類されている。すなわち、１
時間記録モードではメディア１枚当たり１時間の動画が記録可能である。また、記録モー
ドは上述のモードに限られるものではなく、これら以外のモードを備えたＤＶＤ−ＲＷレ
コーダもある。
【０００４】
各記録モードを比較すると、例えば１時間記録モードと６時間記録モードとを比較する
と、６時間記録モードでエンコードされ、記録されたデータは１時間記録モードでエンコ
ードされ、記録されたデータよりもエンコード時のビットレート及び動画の解像度が低く
抑えられている。すなわち、前記６時間モードでエンコードされ、記録されたデータは前
記ビットレート及び前記解像度が低く抑えられていることより、前記１時間記録モードで
エンコードされ、記録されたデータに比べて単位時間あたりのデータ量は約１／６に抑え
られる。また、記録品質を比較すると、１時間モードで記録されたデータの方が高い。ま
た、音声データのフォーマットを切替えることで容量を抑える方法も必要に応じて用いら
れている。
【特許文献１】特開2001−238173号公報
【発明の開示】
【発明が解決しようとする課題】
【０００５】
しかしながら、前記ＤＶＤ−ＲＷレコーダにて動画データを記録する場合において、動
画の記録を開始する前に記録されるデータを圧縮するが、圧縮時の品質は記録を開始する
前に決定されるものであり、記録が終了する、又は、使用者が記録装置を停止するまで、
記録開始時に決定された品質（エンコード時のビットレート、動画の解像度等）を変更す
ることはできない。
【０００６】
前記記録装置にて記録メディアに記録された圧縮動画データが、例えば、映画やスポー
ツ等の高品質な圧縮動画データとして長期にわたって保存しておきたい動画ソースであれ
ば、そのまま前記記録されたメディアを保存しておけばよいが、高品質の圧縮動画データ
として動画ソースを記録する場合、上述のとおり、１メディアあたりの記録時間が短くな
る。
【０００７】
前記記録メディアはかさばるので保管場所が必要であったり、ＤＶＤ−ＲＷの場合、記
録メディア自体の値段が高かったりするので、前記メディアはなるべく少なくその中に延
べ時間の長い圧縮動画データを記録することが望まれる。それゆえ、記録メディアに動画
ソースを記録する場合、予め高い圧縮率（データ量小、品質低）で圧縮し、１枚の記録メ
ディアに記録できるだけ記録する方法が用いられることが多い。この場合、動画ソースを
予め高圧縮率（低ビットレート、低解像度、低品質音声フォーマット）で圧縮し記録する
のであるが、圧縮され、記録された圧縮動画データを記録前に確認することができず、前
記メディアに記録された圧縮動画データが使用者の要求にあった品質であればよいが、前
記圧縮動画データが使用者の要求する品質を得られない場合もある。
【０００８】
また、前記記録メディアに記録された後、少なくとも一度、低圧縮率（高品質）で圧縮
された圧縮動画データを見た後に、高圧縮率（低品質）で圧縮された圧縮動画データを保
存用動画データとして同一のメディアに記録したい場合もある。
【０００９】
記録された圧縮動画データが使用者の要求する品質よりも高い場合は、ＨＤＤ（ハード
ディスクドライブ）等の大容量ストレージを備えたＤＶＤ−ＲＷレコーダを用いて、記録
されている圧縮動画データを一旦ＨＤＤに復号化して保存して、該保存された複号化され
た動画データを再度高圧縮率で圧縮し、もとの記録メディアに記録しなおすことで行うこ
とができる。又は、ＤＶＤ−ＲＷ記録装置を２台用意し、一方のＤＶＤ−ＲＷレコーダに
もとの圧縮動画データが記録されたＤＶＤ−ＲＷメディアを挿入し、基の圧縮動画データ
を復号化し、さらに高圧縮率で圧縮して他方のＤＶＤ−ＲＷレコーダに挿入されているＤ
ＶＤ−ＲＷメディアに記録することで行うことができる。
【００１０】
ＨＤＤ等の大容量ストレージを備えたＤＶＤ−ＲＷレコーダや、ＤＶＤ−ＲＷレコーダ
を２台用いる方法は装置全体としてコストがかかる。また、ＤＶＤ−ＲＷレコーダ２台を
用いる場合は、該ＤＶＤ−ＲＷレコーダ２台分のスペースが必要であり効率も悪い。
【００１１】
さらに記録された圧縮動画データが使用者の要求する品質よりも低い場合、記録された
圧縮動画データの圧縮率を下げて（品質を上げて）再度圧縮し直すのは、実質上不可能で
あり記録し直すことのできる動画ソースであれば手間がかかるが動画ソースを記録しなせ
ばよいが、テレビ放送等の場合、高品質の圧縮動画データはあきらめざるを得ない。光デ
ィスクの例としてＤＶＤ−ＲＷを挙げているが、これに限られるものではない。
【００１２】
そこで本発明は、１台の光ディスク記録装置及び１個の記録メディアを用いて、メディ
アの使用容量を節約しつつ、少なくとも記録後１度は高品質な記録状態で記録された動画
データを鑑賞することができる光ディスク記録装置及び記録方法を提供することを目的と
する。
【００１３】
また本発明は、動画データを使用者が実際に見ることでエンコード品質を決定すること
ができ、簡単安価に製造することができる光ディスク記録装置を提供することを目的とす
る。
【００１４】
さらに本発明は、特殊な光ディスク記録装置や複数の光ディスク記録装置を用いなくて
も使用者の必要に応じて動画データの記録品質を変更することができ、それだけ、メディ
アの無駄な使用を抑えることが可能な光ディスク記録装置及び記録方法を提供することを
目的とする。
【課題を解決するための手段】
【００１５】
上述の目的を達成するために請求項１に示す発明は、記録メディアに動画データを記録
し、且つ、前記記録メディアに記録されている動画データを再生する光ディスク記録再生
装置であって、前記動画データを外部機器より入力及び外部機器に出力するための外部入
出力手段と、前記動画データを前記光ディスクの記録方式に適応したデータ形式に圧縮す
るエンコード手段と、前記圧縮された圧縮動画データをもとの動画データに復号化するデ
コード手段と、前記エンコード手段にて圧縮する、又は、前記デコード手段にて復号化す
るときに一部のデータを保管しておくメモリ手段と、前記動画データを前記記録メディア
に記録する記録／再生手段と、前記各手段の動作を制御する制御手段とを有しており、前
記エンコード手段は前記動画データを圧縮するとき、圧縮ビットレート、解像度及び音声
データフォーマットを変えることで、最も圧縮率の低い圧縮モードと該最も圧縮率の低い
圧縮モードで圧縮されたデータ量に対してデータ量が１／２、１／４、１／６となる圧縮
モードを備えており、前記記録メディアに前記の各圧縮モードのうち任意の圧縮モードで
圧縮され、記録された一次圧縮動画データを、前記デコード手段及び前記エンコード手段
を用いることで該一次圧縮動画データよりも圧縮率の高い圧縮モードで圧縮された高圧縮
動画データを作成し、エンコード手段にて前記高圧縮動画データのエンコードが完了した
部分より順次、前記メモリ手段に格納されると共にメモリ手段から取り出されて前記記録
メディアの空き領域に記録する追記モードと前記一次圧縮動画データの上から記録してい
く上書きモードを有しており、前記追記モードにて記録を行う場合、前記高圧縮動画デー
タの容量が前記記録メディアの空き領域よりも小さいときは前記追記モードで記録せず、
使用者による前記圧縮率の変更、上書きモードへの変更、終了のいずれかの選択に従い、
前記上書きモードにて記録を行う場合、前記記録メディアの前記一次圧縮動画データが記
録された領域のうち、前記高圧縮動画データが上書きされた残りの領域は空き領域として
認識されることを特徴とする光ディスク記録再生装置を提供する。
【００１６】
この構成によると、１度、低圧縮率で圧縮した一次圧縮動画データを少なくとも１度は
高品質な状態で鑑賞することができ、その後、必要に応じて高圧縮率な高圧縮動画データ
に圧縮し直し同じメディアに記録するのでメディアを節約することができる。また、この
とき、前記一次圧縮動画データと前記高圧縮動画データを比較して圧縮率（１／２、１／
４、１／６）を決定するので、圧縮率を上げすぎたことによる品質の低下で要求する品質
が得られなくなるのを防ぐことが可能である。
【００１７】
また、上述の目的を達成するために請求項２に示す発明は、記録メディアに動画データ
を記録し、且つ、前記記録メディアに記録されている動画データを再生する光ディスク記
録再生装置であって、前記動画データを外部機器より入力及び外部機器に出力するための
外部入出力手段と、前記動画データを前記光ディスクの記録方式に適応したデータ形式に
圧縮するエンコード手段と、前記圧縮された圧縮動画データをもとの動画データに復号化
するデコード手段と、前記エンコード手段にて圧縮する、又は、前記デコード手段にて復
号化するときに一部のデータを保管しておくメモリ手段と、前記動画データを前記記録メ
ディアに記録する記録／再生手段と、前記各手段の動作を制御する制御手段と、を有して
おり、前記エンコード手段は前記動画データを圧縮するとき、圧縮ビットレート、解像度
及び音声データフォーマットを変えることで、最も圧縮率の低い圧縮モードと前記最も圧
縮率の低い動画データに対するデータの圧縮率を予め定められた倍率に変えることができ
る圧縮モードを備えており、前記記録メディアに前記の各圧縮モードのうち任意の圧縮モ
ードで圧縮され、記録された一次圧縮動画データを、前記デコード手段及び前記エンコー
ド手段を用いることで該一次圧縮動画データよりも圧縮率の高い圧縮モードで圧縮された
高圧縮動画データを作成し、エンコード手段にて前記高圧縮動画データのエンコードが完
了した部分より順次、前記メモリ手段に格納されると共にメモリ手段から取り出されて前
記記録メディアの空き領域に記録する追記モードと前記一次圧縮動画データの上から記録
していく上書きモードを有しており、前記追記モードにて記録を行う場合、前記高圧縮動
画データの容量が前記記録メディアの空き領域よりも小さいときは前記追記モードで記録
せず、使用者による前記圧縮率の変更、上書きモードへの変更、終了のいずれかの選択に
従い、前記上書きモードにて記録を行う場合、前記記録メディアの前記一次圧縮動画デー
タが記録された領域のうち、前記高圧縮動画データが上書きされた残りの領域は空き領域
として認識されることを特徴とする光ディスク記録再生装置を提供する。
この構成によると、前記高圧縮動画データの圧縮率を予め設定された圧縮率より選択する
ので、簡単容易に該高圧縮動画データをさくせいすることが可能である。
【００１８】
さらに上述の目的を達成するために請求項３に示す発明は、記録メディアに動画データ
を記録し、且つ、前記記録メディアに記録されている動画データを再生する光ディスク記
録再生装置であって、前記動画データを外部機器より入力及び外部機器に出力するための
外部入出力手段と、前記動画データを前記光ディスクの記録方式に適応したデータ形式に
圧縮するエンコード手段と、前記圧縮された圧縮動画データをもとの動画データに復号化
するデコード手段と、前記エンコード手段にて圧縮する、又は、前記デコード手段にて復
号化するときに一部のデータを保管しておくメモリ手段と、前記動画データを前記記録メ
ディアに記録する記録／再生手段と、前記各手段の動作を制御する制御手段と、を有して
おり、前記エンコード手段は前記動画データを圧縮するとき、圧縮ビットレート、解像度
及び音声データフォーマットのうち少なくともひとつを任意に変えることで、圧縮率を任
意に変えることができる圧縮モードを備えており、前記記録メディアに前記圧縮モードで
圧縮され、記録された一次圧縮動画データを、前記デコード手段及び前記エンコード手段
を用いることで該一次圧縮動画データよりも圧縮率が高くなるように圧縮された高圧縮動
画データを作成し、エンコード手段にて前記高圧縮動画データのエンコードが完了した部
分より順次、前記メモリ手段に格納されると共にメモリ手段から取り出されて前記記録メ
ディアの空き領域に記録する追記モードと前記一次圧縮動画データの上から記録していく
上書きモードを有しており、前記追記モードにて記録を行う場合、前記高圧縮動画データ
の容量が前記記録メディアの空き領域よりも小さいときは前記追記モードで記録せず、使
用者による前記圧縮率の変更、上書きモードへの変更、終了のいずれかの選択に従い、前
記上書きモードにて記録を行う場合、前記記録メディアの前記一次圧縮動画データが記録
された領域のうち、前記高圧縮動画データが上書きされた残りの領域は空き領域として認
識されることを特徴とする光ディスク記録再生装置を提供する。
【００１９】
この構成によると、圧縮率を圧縮ビットレート、解像度及び音声データフォーマットを
任意に設定することで任意に設定することができ、それだけ、使用者の好みに合った圧縮
動画データを作製することが可能である。
【００２０】
また上述の目的を達成するために請求項４に示す発明は、記録メディアに動画データを
記録する光ディスク記録方法であって、前記動画データを外部機器より入力及び外部機器
に出力する外部入出力ステップと、前記動画データを前記光ディスクの記録方式に適応し
たデータ形式に圧縮するエンコードステップと、前記圧縮された圧縮動画データをもとの
動画データに復号化するデコードステップと、前記エンコードステップにて圧縮する、又
は、前記デコードステップにて復号化するときに一部のデータをメモリ手段に保管してお
くメモリステップと、前記動画データを前記記録メディアに記録する記録／再生ステップ
と、を有しており、前記エンコードステップは前記動画データを圧縮するとき、圧縮ビッ
トレート、解像度及び音声データフォーマットを変えることで、最も圧縮率の低い圧縮モ
ードと該最も圧縮率の低い圧縮モードで圧縮されたデータ量に対してデータ量が１／２、
１／４、１／６となる圧縮モードを備えており、前記記録メディアに記録された一次圧縮
動画データを、前記デコード手段及び前記エンコード手段を用いることで該一次圧縮動画
データよりも容量の小さい（換言すると圧縮率の高い）高圧縮動画データを作成し、前記
記録／再生ステップは前記高圧縮動画データのエンコードが完了した部分より順次、前記
メモリ手段に格納されると共にメモリステップにて前記メモリ手段から取り出されて前記
記録メディアの空き領域に記録するか又は前記一次圧縮動画データの上から記録していく
かを選択することができ、前記高圧縮動画データの容量が前記記録メディアの空き領域よ
りも小さいときは前記該高圧縮動画データを該空き領域に記録せず、使用者の前記圧縮率
を変更するか、前記一次圧縮動画データに上書きするか、終了するかの選択に従い、前記
一次圧縮動画データの上から記録する場合、前記記録メディアの前記一次圧縮動画データ
が記録された領域のうち、前記高圧縮動画データが上書きされた残りの領域は空き領域と
して認識されることを特徴とする光ディスク記録方法を提供する。
【００２１】
この構成によると、複雑な装置や大掛かりな装置を用いることなく、圧縮動画データの
編集を行うことができ、光ディスクメディアの使用容量の無駄遣いを制限することが可能
である。
【００２２】
また上述の目的を達成するために請求項５に示す発明は、記録メディアに動画データを
記録する光ディスク記録方法であって、前記動画データを外部機器より入力及び外部機器
に出力する外部入出力ステップと、前記動画データを前記光ディスクの記録方式に適応し
たデータ形式に圧縮するエンコードステップと、前記圧縮された圧縮動画データをもとの
動画データに復号化するデコードステップと、前記エンコードステップにて圧縮する、又
は、前記デコードステップにて復号化するときに一部のデータをメモリ手段に保管してお
くメモリステップと、前記動画データを前記記録メディアに記録する記録／再生ステップ
と、を有しており、前記エンコードステップは前記動画データを圧縮するとき、圧縮ビッ
トレート、解像度及び音声データフォーマットを変えることで、最も圧縮率の低い圧縮モ
ードと前記最も圧縮率の低い動画データに対するデータの圧縮率を予め定められた倍率に
変えることができる圧縮モードを備えており、前記記録メディアに記録された一次圧縮動
画データを、前記デコード手段及び前記エンコード手段を用いることで該一次圧縮動画デ
ータよりも容量の小さい（換言すると圧縮率の高い）高圧縮動画データを作成し、前記記
録／再生ステップは前記高圧縮動画データのエンコードが完了した部分より順次、前記メ
モリ手段に格納されると共にメモリステップにて前記メモリ手段から取り出されて前記記
録メディアの空き領域に記録するか又は前記一次圧縮動画データの上から記録していくか
を選択することができ、前記高圧縮動画データの容量が前記記録メディアの空き領域より
も小さいときは前記該高圧縮動画データを該空き領域に記録せず、使用者の前記圧縮率を
変更するか、前記一次圧縮動画データに上書きするか、終了するかの選択に従い、前記一
次圧縮動画データの上から記録する場合、前記記録メディアの前記一次圧縮動画データが
記録された領域のうち、前記高圧縮動画データが上書きされた残りの領域は空き領域とし
て認識されることを特徴とする光ディスク記録方法を提供する。
【００２３】
この構成によると、予め設定された圧縮率で前記高圧縮動画データを作製するので簡単
容易に該高圧縮動画データを作製することが可能である。
【００２４】
さらに上述の目的を達成するために請求項６に示す発明は、記録メディアに動画データ
を記録する光ディスク記録方法であって、前記動画データを外部機器より入力及び外部機
器に出力する外部入出力ステップと、前記動画データを前記光ディスクの記録方式に適応
したデータ形式に圧縮するエンコードステップと、前記圧縮された圧縮動画データをもと
の動画データに復号化するデコードステップと、前記エンコードステップにて圧縮する、
又は、前記デコードステップにて復号化するときに一部のデータをメモリ手段に保管して
おくメモリステップと、前記動画データを前記記録メディアに記録する記録／再生ステッ
プと、を有しており、前記エンコード手段は前記動画データを圧縮するとき、圧縮ビット
レート、解像度及び音声データフォーマットのうち少なくともひとつを任意に変えること
で、圧縮率を任意に変えることができる圧縮モードを備えており、前記記録メディアに前
記圧縮モードで圧縮され、記録された一次圧縮動画データを、前記デコード手段及び前記
エンコード手段を用いることで該一次圧縮動画データよりも圧縮率が高くなるように圧縮
された高圧縮動画データを作成し、前記記録／再生ステップは前記高圧縮動画データのエ
ンコードが完了した部分より順次、前記メモリ手段に格納されると共にメモリステップに
て前記メモリ手段から取り出されて前記記録メディアの空き領域に記録するか又は前記一
次圧縮動画データの上から記録していくかを選択することができ、前記高圧縮動画データ
の容量が前記記録メディアの空き領域よりも小さいときは前記該高圧縮動画データを該空
き領域に記録せず、使用者の前記圧縮率を変更するか、前記一次圧縮動画データに上書き
するか、終了するかの選択に従い、前記一次圧縮動画データの上から記録する場合、前記
記録メディアの前記一次圧縮動画データが記録された領域のうち、前記高圧縮動画データ
が上書きされた残りの領域は空き領域として認識されることを特徴とする光ディスク記録
方法を提供する。
この構成によると、圧縮率を圧縮ビットレート、解像度及び音声データフォーマットを任
意に変更することで使用者の好みに合った高圧縮動画データを作製することができる。
【発明の効果】
【００２５】
本発明によると、１台の光ディスク記録装置及び１個の記録メディアを用いて、メディ
アの使用容量を節約しつつ、少なくとも記録後１度は高品質な記録状態で記録された動画
データを鑑賞することができる光ディスク記録装置及び記録方法を提供することができる
。
【００２６】
また本発明によると、動画データを使用者が実際に見ることでエンコード品質を決定す
ることができ、簡単安価に製造することができる光ディスク記録装置を提供することがで
きる。
【００２７】
さらに本発明によると、特殊な光ディスク記録装置や複数の光ディスク記録装置を用い
なくても使用者の必要に応じて動画データの記録品質を変更することができ、それだけ、
メディアの無駄な使用を抑えることが可能な光ディスク記録装置及び記録方法を提供する
ことができる。
【発明を実施するための最良の形態】
【００２８】
以下に本発明を実施するための最良の形態を図面を参照して説明する。図１は本発明に
かかる光ディスク記録再生装置の一例であるＤＶＤ−ＲＷ記録再生装置の概略配置図であ
る。
【００２９】
図１に示すＤＶＤ−ＲＷ記録再生装置Ａは、外部機器が接続されており、動画ソースを
外部機器から入力及び外部機器へ出力を行う外部入出力手段１と、動画ソースをＤＶＤ−
ＲＷメディアＭｄの記録方式に適応した圧縮動画データに圧縮するエンコード手段として
エンコーダ２と、圧縮動画データをもとの動画ソースに復号化するデコード手段としてデ
コーダ３と、エンコーダ２にて符号化する、又は、デコーダ３にて復号化するときに動画
データの一部を保管しておくメモリ手段としてメモリ４と、圧縮動画データをＤＶＤ−Ｒ
ＷメディアＭｄに記録する記録／再生手段５と、各手段の動作を制御している制御手段６
とを有している。ここでの動画データ、動画ソースの動画とは映像と音声を含むものであ
る。
【００３０】
外部入出力手段１は、デジタル入力部１１とアナログ入力部１２、デジタル出力部１３
とアナログ出力部１４とを備えている。アナログ動画データが動画ソースとして入力され
るアナログ入力部１２にはアナログデータからデジタルデータに変換するＡ／Ｄコンバー
タ１２１が、アナログ動画データを出力するアナログ出力部１４にはデジタルデータから
アナログデータに変化するＤ／Ａコンバータ１４１が備えられている。外部入出力手段１
より入力されてきた動画データは動画データとして一時的にメモリ４に保存される。
【００３１】
エンコーダ２は、メモリ４に保存されている動画データを圧縮するデータ圧縮手段であ
り、ここでは一般のＤＶＤプレーヤで広く用いられている形式であるＭＰＥＧ２に変換す
るものを採用している。また、ＭＰＥＧ２に限定されるものではなく、動画データの圧縮
率を予め定められた圧縮率又は任意に決定できる圧縮形式を広く採用することが可能であ
る。
【００３２】
エンコーダ２はエンコードするときに圧縮ビットレート、解像度及び音声データフォー
マットを変えることで圧縮率を所定の圧縮率に設定している。ここでは圧縮率に応じて１
枚のＤＶＤ−ＲＷメディアＭｄに動画ソース１時間分の圧縮動画データを記録可能な１時
間モード、２時間分可能な２時間モード、同様に４時間モード、６時間モードを備えてい
る。
【００３３】
１枚のＤＶＤ−ＲＷメディアＭｄの容量は決まっている（一層片面４．７ＧＢ）ので、
各モードでエンコードした圧縮動画データのデータ量は１時間モードでエンコード圧縮動
画データを基準に考えると、２時間モードで１／２．４時間モードで１／４、６時間モー
ドで１／６の容量に抑えることができる。
【００３４】
デコーダ３は、エンコーダ２と反対の動作を行うものであり、圧縮されている圧縮動画
データを復号化して動画データに変換するものである。
【００３５】
記録／再生手段５は、ＤＶＤ−ＲＷメディアＭｄに記録されている圧縮動画データを読
み込む及び圧縮動画データを記録する光ピックアップ５１と、ＤＶＤ−ＲＷメディアＭｄ
を回転させるためのスピンドルモータ５２を備えている。光ピックアップ５１はレーザ光
の反射を利用してＤＶＤ−ＲＷメディアＭｄの凹凸を認識することでデータを読み出し、
レーザ光によってＤＶＤ−ＲＷメディアＭｄの記録層に記録するものである。
【００３６】
ＤＶＤ−ＲＷ記録再生装置Ａを用いて動画を記録する手順は以下のとおりである。まず
、外部機器より動画ソースを入力する。入力された動画ソースがたとえばＴＶ放送やＶＴ
Ｒ等のようなアナログデータの場合、動画ソースはアナログ入力部１２より入力されＡ／
Ｄコンバータ１２１にて動画データに変換される。ＤＶやデジタル放送等のようなデジタ
ルデータの場合、デジタル入力部１１より直接入力される。
【００３７】
Ａ／Ｄコンバータ１２１にて変換された又はデジタル入力部１１より入力された動画デ
ータは、入力され次第順にメモリ４に格納されていく。メモリ４に格納された動画データ
は先に格納されている動画データから順にエンコーダ２に送られ圧縮動画データとして圧
縮される。エンコーダ２は圧縮動画データをピックアップ５１に送る。
【００３８】
スピンドルモータ５２がＤＶＤ−ＲＷメディアＭｄを一定の速度で回転させており、一
定速度で回転しているＤＶＤ−ＲＷメディアＭｄの記録層に光ピックアップ５１からレー
ザ光を照射して圧縮動画データを記録する。
【００３９】
また、ＤＶＤ−ＲＷメディアＭｄに記録された圧縮動画データを外部機器に出力する手
順は以下のとおりである。まず、スピンドルモータ５２を回転させることでＤＶＤ−ＲＷ
メディアＭｄを一定速度で回転させる。一定速度で回転しているＤＶＤ−ＲＷメディアＭ
ｄに光ピックアップよりレーザ光を照射し、その反射光を認識することでＤＶＤ−ＲＷメ
ディアＭｄに記録されている圧縮動画データを読み取る。光ピックアップ５１で読み取っ
た圧縮動画データはメモリ４に一度格納されデコーダ３に送られる。
【００４０】
デコーダ３に送られた圧縮動画データは複号化され動画ソースとしてデジタル出力部１
３又はＤ／Ａコンバータ１４１にてアナログの動画ソースに変換された後アナログ出力部
１４に送られ、さらに外部に接続されている外部機器に送られて、映像及び音声として再
生される。ここでは外部機器としてＴＶを考慮しているので、Ｄ／Ａコンバータ１４１に
てアナログデータに変換された後外部に出力される。
【００４１】
図２（Ａ）〜（Ｅ）はＤＶＤ−ＲＷメディアの総容量と圧縮動画データを記録したとき
記録状態の概略を示す図である。
【００４２】
図２（Ａ）はＤＶＤ−ＲＷメディアＭｄに動画ソースを１時間モードでエンコードした
一次圧縮動画データＦｃを記録したものである。一般的にＤＶＤ−ＲＷメディアＭｄは、
１時間モードで１時間分の圧縮動画データを書き込んで若干の空き容量ができるようにな
っている。
【００４３】
１時間モードでエンコードされ書き込まれた一次圧縮動画データＦｃは、品質は高いが
データ量が大きい。それゆえ、ＤＶＤ−ＲＷメディアＭｄの記録可能データ容量を大量に
消費する。気に入った動画ソースの場合品質の高い一次圧縮動画データとして残してもよ
いが、一応保存しておこうとか、動画ソース内に含まれる情報が欲しいだけの場合、高い
品質の一次圧縮動画データＦｃは必要ない。そこで、エンコーダ２の各エンコードモード
を用いて一次圧縮動画データＦｃを、高圧縮動画データＨｃにエンコードしなおして、Ｄ
ＶＤ−ＲＷメディアＭｄに記録し直す。
【００４４】
例えば、図２（Ｂ）に示すようにエンコーダ２にて１時間モードでエンコードされた一
次圧縮動画データＦｃを４時間モードでエンコードした高圧縮動画データＨｃにエンコー
ドしなおしＤＶＤ−ＲＷメディアＭｄに記録する。このとき、ＤＶＤ−ＲＷメディアＭｄ
の空き領域に記録する追記モード（図２（Ｃ）参照）と一次圧縮動画データＦｃが記録さ
れている領域に記録する上書きモード（図２（Ｅ）参照）とを有している。
【００４５】
図３に追記モードの動作手順を示すフローチャートを示す。
【００４６】
まず、高品質なモード（例えば１時間モード、２時間モード等ここでは１時間モードと
する）でエンコードされた一次圧縮動画データＦｃの容量を確認しＤＶＤ−ＲＷメディア
Ｍｄの空き容量を検出する（ステップＳ１１）。
【００４７】
一次圧縮動画データＦｃをエンコードしなおすときの圧縮モードを選択する（ステップ
Ｓ１２）。このとき、一次圧縮動画データＦｃの圧縮モードよりも高圧縮率のエンコード
モードを選択する。一次圧縮動画データＦｃの再エンコード後の高圧縮動画データのデー
タ量を算出する（ステップＳ１３）。ステップＳ１１で検出したＤＶＤ−ＲＷメディアＭ
ｄの空き容量とステップＳ１３で算出した高圧縮動画データのデータ量を比較する（ステ
ップＳ１４）。
【００４８】
ＤＶＤ−ＲＷメディアＭｄの空き容量が高圧縮動画データのデータ量よりも小さい（ス
テップＳ１４にてＮＯの場合）、使用者が終了するかどうか選択する（ステップＳ１４１
）。ステップＳ１４１にて終了を選択した（ステップＳ１４１でＹＥＳ）場合、再エンコ
ードは終了する。また、ステップＳ１４１にて終了を選択しない（ステップＳ１４１でＮ
Ｏ）場合、圧縮モードの選択（ステップＳ１２）に戻るか、後述する上書きモードで作業
を続けるか決定する（ステップＳ１４３）。
【００４９】
ＤＶＤ−ＲＷメディアＭｄの空き容量が高圧縮動画データのデータ量よりも大きい（ス
テップＳ１４でＹＥＳ）場合、ＤＶＤ−ＲＷメディアＭｄから一次圧縮動画データを読み
出す（ステップＳ１５）。ステップＳ１５において読み出された一次圧縮動画データＦｃ
を読み出した順にメモリ４に格納する（ステップＳ１６）。
【００５０】
ステップＳ１６においてメモリ４に格納された一次圧縮動画データＦｃは、前のデータ
より順次デコーダ３に送られて一度復号化される（ステップＳ１７）。ステップＳ１７で
復号化された動画データはエンコーダ２に送られ一次圧縮動画データＦｃよりも高圧縮率
で、換言すると、データ量が小さくなるようにエンコードされる（ステップＳ１８）。
【００５１】
このとき、メモリ４には画像データの全てが格納されるわけではなく、メモリ４に格納
された順に順次メモリ４よりエンコーダ２に送られる。エンコーダ２にてエンコードされ
た高圧縮動画データはＤＶＤ−ＲＷメディアＭｄの空き領域に順次記録されていく（ステ
ップＳ１９）。記録が終了した時点で一次圧縮動画データＦｃと高圧縮動画データＨｃの
映像及び音声の品質を比較し一次圧縮動画データＦｃを消去するかどうか決定する（ステ
ップＳ１１０）。比較及び消去しない（ステップＳ１１０でＮＯ）場合はこれで終了する
。
【００５２】
一次圧縮動画データＦｃと高圧縮動画データＨｃの映像及び音声の品質を比較及び消去
する（ステップＳ１１０でＹＥＳ）場合、一次圧縮動画データＦｃと高圧縮動画データＨ
ｃの一部又は全部を見比べる（ステップＳ１１１）。見比べた結果、高圧縮動画データＨ
ｃが使用者の要求する品質を満たしている（ステップＳ１１１でＹＥＳ）場合、一次圧縮
動画データＦｃを消去して（ステップＳ１１２）終了する。このとき、一次圧縮動画デー
タＦｃが消去された後の領域はＤＶＤ−ＲＷメディアＭｄの空き領域になる。高圧縮動画
データＨｃの品質が使用者の要求を満たしていない（ステップＳ１１１でＮＯ）場合、高
圧縮動画データＨｃを消去してステップＳ１２に戻り圧縮モードを選択し直す。
【００５３】
図４に上書きモードのフローチャートを示す。
【００５４】
まず、高品質なモード（例えば１時間モード、２時間モード等、ここでは１時間モード
とする）でエンコードされた一次圧縮動画データＦｃをエンコードしなおすときの圧縮モ
ードを選択する（ステップＳ２１）。このとき、一次圧縮動画データＦｃの圧縮モードよ
りも高圧縮率の圧縮モードを選択する。ステップＳ２１にて圧縮モードを選択した後又は
追記モードのステップ１４３で上書きモードを選択した後、ＤＶＤ−ＲＷメディアＭｄよ
り一次圧縮動画データＦｃを読み出す（ステップＳ２２）。ステップＳ２２において読み
出された一次圧縮動画データＦｃを読み出した順にメモリ４に格納する（ステップＳ２３
）。
【００５５】
ステップＳ２３においてメモリ４に格納された一次圧縮動画データＦｃは、前のデータ
より順次デコーダ３に送られて一度復号化される（ステップＳ２４）。ステップＳ２４で
復号化された動画データはエンコーダ２に送られ一次圧縮動画データＦｃよりも高圧縮率
で、換言すると、データ量が小さくなるようにエンコードされる（ステップＳ２５）。
【００５６】
このとき、メモリ４には画像データの全てが格納されるわけではなく、メモリ４に格納
された順に順次メモリ４よりエンコーダ２に送られる。エンコーダ２にてエンコードされ
た高圧縮動画データはＤＶＤ−ＲＷメディアＭｄの一次圧縮動画データＦｃが記録されて
いる領域に順次記録されていき（ステップＳ２６）、記録が終了した時点で終了する。こ
のとき、一次圧縮動画データＦｃの高圧縮動画データＨｃが上書きされなかった部分（図
２（Ｅ）においてＥｓで示す部分）は、ＤＶＤ−ＲＷメディアＭｄの空き領域として認識
される。
【００５７】
また、追記モード及び上書きモードいずれの場合も、高圧縮動画データを一次圧縮動画
データとして上述の手順にのっとって動作させてもよい。この場合、動画データの圧縮率
が高くなるので、１枚のＤＶＤ−ＲＷメディアＭｄに記録する圧縮動画データの延べ再生
時間を長くすることが可能である。
【００５８】
以上のようにすることで、動画ソースを高品質で鑑賞した後にＤＶＤ−ＲＷメディアの
容量を抑えて保存することができ、それだけ無駄なＤＶＤ−ＲＷメディアの消費を抑える
ことができる。
【００５９】
また、前記追記モードの場合一次圧縮動画データと高圧縮動画データを比較して、圧縮
モード（圧縮率）を決定することができるので、使用者の要求に応じた品質の圧縮動画デ
ータをＤＶＤ−ＲＷメディアに記録し、蓄積することが可能である。
【００６０】
上述の例では光ディスク記録再生装置としてＤＶＤ−ＲＷメディア（ＤＶＤ）に対し記
録再生するＤＶＤ−ＲＷ記録再生装置について示しているが、それに限定されるわけでは
なく、圧縮動画ファイルを取り扱う光ディスク記録再生装置に広く採用することができる
。
【図面の簡単な説明】
【００６１】
【図１】本発明にかかる光ディスク記録再生装置の一例であるＤＶＤ−ＲＷの概略配置図である。
【図２】図（Ａ）〜図（Ｅ）は一次圧縮動画データと高圧縮動画データを概念的に表す図である。
【図３】高圧縮動画データを一次圧縮動画データの空き容量部に記録する追記モードの動作手順を示すフローチャートである。
【図４】高圧縮動画データを一次圧縮動画データに上書きする上書きモードの動作手順を示すフローチャートである。
【符号の説明】
【００６２】
Ａ  ＤＶＤ−ＲＷ記録再生装置
１  外部入出力手段
１１  デジタル入力部
１２  アナログ入力部
１２１  Ａ／Ｄコンバータ
１３  デジタル出力部
１４  アナログ出力部
１４１  Ｄ／Ａコンバータ
２  エンコード手段
３  デコード手段
４  メモリ手段
５  記録再生手段
５１  光ピックアップ
５２  スピンドルモータ
Ｍｄ  ＤＶＤ−ＲＷメディア
【図１】
2005092993.tif 000003
【図２】
2005092993.tif 000004
【図３】
2005092993.tif 000005
【図４】
2005092993.tif 000006